(57)【要約】【課題】ダンパーによる制動距離を長くすることのできる引き戸の制動装置を提供する。【解決手段】引き戸の制動装置２は、戸枠１０側の構成として、戸板１１に向かって突出するように所定位置に配置されるトリガ３を備えており；戸板１１側の構成として、トリガ３と係脱可能に構成され、トリガ３と係合した状態で戸板１１に相対的に移動可能となり、トリガ３と係合しない状態で戸板１１に相対的に移動不可能となるスライド部材４と、第１の端部がスライド部材４に取り付けられるとともに第２の端部が戸板１１に取り付けられて、スライド部材４がトリガ３と係合した状態で戸板１１を開方向又は閉方向に付勢して移動させる付勢手段５と、付勢手段５の付勢する方向の戸板１１の移動を減衰するダンパー６と、を備え、トリガ３は、戸枠１０に固定されるベース部材３１と、ベース部材３１に嵌合するトリガ部材３２と、から構成されている。【選択図】図９
2019073902.tif 000002
【特許請求の範囲】
【請求項１】
戸枠に対する戸板の移動を減衰する引き戸の制動装置であって；
前記戸枠は、
前記戸板に向かって突出するように所定位置に配置されるトリガを備え；
前記戸板は、
前記トリガと係脱可能に構成され、前記トリガと係合した状態で前記戸板に相対的に移動可能となり、前記トリガと係合しない状態で前記戸板に相対的に移動不可能となるスライド部材と、
第１の端部が前記スライド部材に取り付けられるとともに第２の端部が前記戸板に取り付けられて、前記スライド部材が前記トリガと係合した状態で前記戸板を開方向又は閉方向に付勢して移動させる付勢手段と、
前記付勢手段の付勢する方向の前記戸板の移動を減衰するダンパーと、を備え、
前記トリガは、前記戸枠に固定されるベース部材と、前記ベース部材に嵌合するトリガ部材と、から構成されている；引き戸の制動装置。
【請求項２】
前記戸板の下端には、前記戸板の移動方向に沿って延びるレール部材が設置され、
前記トリガの前記トリガ部材は、前記レール部材内を摺動するようにされている、請求項１に記載された引き戸の制動装置。
【請求項３】
前記ベース部材は、先端に球状部分が形成された突出部を有するとともに、前記トリガ部材は、前記球状部分に外接して嵌合する嵌合孔を有する、請求項１又は請求項２に記載された引き戸の制動装置。
【発明の詳細な説明】
【技術分野】
【０００１】
本発明は、引き戸を開閉する際の制動装置に関するものである。
【背景技術】
【０００２】
従来から、建物の開口部には、ガイドレールに沿って移動する引き戸が設置されている。近年では、引き戸を閉じる際に、閉鎖位置（開口部を完全に塞ぐ位置）まで引き戸を自動的に移動させる自閉式の引き戸が使用されるようになってきている。
【０００３】
このような自閉式の引き戸では、引き戸を閉鎖する際（閉鎖位置まで移動させる際）に、引き戸が勢いよく戸枠に衝突して衝撃音を発生させたり、誤って手指を引き戸と戸枠の間に挟んだりすることが問題となっていた。
【０００４】
このような問題を解決するために、引き戸を閉鎖位置の近傍において制動する引き戸の制動装置が開発されている。例えば、特許文献１のスライドアシスト機構は、枠体をガイドローラと一体のユニットとしてローラ支持体に取り付けているため、引き戸を戸枠に組み込む際の上下位置関係や、木製引き戸の反りやたわみによって引き戸と戸枠の上下位置関係が変わっても、引き戸側部材と戸枠側部材の上下位置関係は一定に保たれるように開発されている。
【０００５】
この特許文献１のスライドアシスト機構を含む従来の制動装置は、ダンパーを備えることで、ダンパーのストローク分の制動距離を有している。そのため、戸板の長さが短い場合等において、制動距離が不足したり、あるいは逆に制動装置が戸板内に納まらなかったりする、という問題が生じるおそれがある。そこで、本発明者らは、ダンパーによる制動距離を長くすることのできる、引き戸の制動装置を開発した。この引き戸の制動装置は、トリガと、スライド部材と、付勢手段と、ダンパーと、を備えている。
【先行技術文献】
【特許文献】
【０００６】
【特許文献１】特開２００５−３５０９１２号公報
【発明の概要】
【発明が解決しようとする課題】
【０００７】
しかしながら、引き戸の制動装置において、上枠に対して下枠が傾斜している場合等には、トリガがスライド部材に係合しないおそれがあり、そのため付勢手段やダンパーが機能しない可能性があった。
【０００８】
そこで、本発明は、トリガがスライド部材に係合しやすくされている、引き戸の制動装置を提供することを目的としている。
【課題を解決するための手段】
【０００９】
前記目的を達成するために、本発明の引き戸の制動装置は、戸枠に対する戸板の移動を減衰する引き戸の制動装置であって；前記戸枠は、前記戸板に向かって突出するように所定位置に配置されるトリガを備え；前記戸板は、前記トリガと係脱可能に構成され、前記トリガと係合した状態で前記戸板に相対的に移動可能となり、前記トリガと係合しない状態で前記戸板に相対的に移動不可能となるスライド部材と、第１の端部が前記スライド部材に取り付けられるとともに第２の端部が前記戸板に取り付けられて、前記スライド部材が前記トリガと係合した状態で前記戸板を開方向又は閉方向に付勢して移動させる付勢手段と、前記付勢手段の付勢する方向の前記戸板の移動を減衰するダンパーと、を備え、前記トリガは、前記戸枠に固定されるベース部材と、前記ベース部材に嵌合するトリガ部材と、から構成されている。
【発明の効果】
【００１０】
このように、本発明の引き戸の制動装置は、トリガと、スライド部材と、付勢手段と、ダンパーと、を備えており、トリガは、戸枠に固定されるベース部材と、ベース部材に嵌合するトリガ部材と、から構成されている。このように、トリガが２つの部材から構成されていれば２つの部材間で位置ずれを吸収できるため、上枠に対して下枠が傾斜していたり位置がずれていたりしても、トリガがスライド部材に係合しやすくなる。
【図面の簡単な説明】
【００１１】
【図１】戸枠及び戸板の全体構成を破断して説明する正面図である。（ａ）は開状態であり、（ｂ）は制動開始時であり、（ｃ）は閉状態である。
【図２】引き戸の制動装置の斜視図である。
【図３】引き戸の制動装置の構成を分解して説明する部品図である。
【図４】引き戸の制動装置の開状態の断面図である。
【図５】引き戸の制動装置の制動開始時の断面図である。
【図６】引き戸の制動装置の閉状態の断面図である。
【図７】トリガ周辺の構成の制動開始時の説明図である。
【図８】トリガ周辺の構成の閉状態の説明図である。
【図９】傾斜がない状態のトリガの断面図である。（ａ）は側面図であり、（ｂ）は（ａ）のＡ−Ａ断面図である。
【図１０】横方向の傾斜がある状態のトリガの断面図である。（ａ）は側面図であり、（ｂ）は（ａ）のＢ−Ｂ断面図である。
【図１１】縦方向の傾斜がある状態のトリガの断面図である。（ａ）は側面図であり、（ｂ）は断面図である。
【発明を実施するための形態】
【００１２】
以下、本発明の実施の形態について図面を参照して説明する。なお、以下の実施例では、戸板を上部に配置されたガイドローラ（吊車）で吊下支持されている場合について説明するが、これは例示であって、この例に限定されるものではない。下部に配置されたガイドローラによって支持される戸板にも本発明を適用することができる。
【実施例】
【００１３】
（全体構成）
まず、図１を用いて引き戸１の全体構成を説明する。なお、図１では、説明の便宜上、戸板１１の内部構成が見えるように描いている。引き戸１は、戸枠１０と、戸板１１と、によって開口部９０を塞ぐように構成されている。戸枠１０は、四角形の枠体であり、その内部に左右にスライド移動できるように戸板１１が設置されている。
【００１４】
戸板１１は、開口部９０と略同一形状の四角形に形成されており、上部に配置されたガイドローラ１２、１３から吊り下げ支持されている。すなわち、戸枠１０の上枠部材には下向きのＣ字状断面のレール１０ａ（チャンネル部材）が取り付けられており、このレール１０ａの内部をガイドローラ１２、１３が走行（転動）することによって、戸板１１が吊り下げられた状態でスライド移動するようになっている。
【００１５】
そして、戸板１１の下端近傍には、本発明の引き戸の制動装置２が設置されている。引き戸の制動装置２の詳細な構成については後述する。引き戸の制動装置２は、図１（ａ）〜（ｃ）に示したように、開状態では制動機能を発揮せず（図１（ａ）参照）、戸板１１を閉める方向に移動させる途中の所定の位置（制動開始時、図１（ｂ）参照）から、閉状態（図１（ｃ）参照）まで制動機能を発揮するようになっている。
【００１６】
（引き戸の制動装置の構成）
本実施例の引き戸の制動装置２は、図２〜図３、図４〜図６に示すように、戸枠１０側の構成として、戸板１１に向かって突出するように所定位置に配置されるトリガ３を備えており；戸板１１側の構成として、トリガ３と係脱可能に構成され、トリガ３と係合した状態で戸板１１に相対的に移動可能となり、トリガ３と係合しない状態で戸板１１に相対的に移動不可能となるスライド部材４と、第１の端部がスライド部材４に当接されるとともに第２の端部が戸板１１に当接されて、スライド部材４がトリガ３と係合した状態で戸板１１を開方向又は閉方向に付勢して移動させる付勢手段５と、付勢手段５の付勢する方向の戸板１１の移動を減衰するダンパー６と、スライド部材４とともに戸板１１に相対的に移動する第１のラックギヤ７１と、第１のラックギヤ７１に対向して戸板１１に固定される第２のラックギヤ７２と、ダンパー６の端部に回転自在に支承されて、第１のラックギヤ７１と第２のラックギヤ７２の間で噛み合って回転するピニオンギヤ６５と、を備えている。
【００１７】
これを部品ごとに、すなわち構成のまとまりごとに説明すると、図２及び図３に示すように、引き戸の制動装置２は、トリガ３と、スライド部材４と、付勢手段５と、ダンパー６と、戸板１１と一体になっているケース８０と、レール８１と、によって構成されている。
【００１８】
（トリガの構成）
トリガ３は、戸枠１０に固定されるベース部材３１と、ベース部材３１に嵌合するトリガ部材３２と、から構成されている。ベース部材３１は、タッピング等によって戸枠１０に固定するための固定孔を有するベース板３１ａと、ベース板３１ａから突出する突出部３１ｂと、を備えている。ベース部材３１の突出部３１ｂは、先端に球状部分３１ｃを有しており、この球状部分３１ｃがトリガ部材３２の嵌合孔３２ａ（後述）に内接して嵌合するようにされている。球状部分３１ｃの外径は、トリガ部材３２の嵌合孔３２ａ（後述）の内径と略一致するように形成されている。
【００１９】
そして、トリガ部材３２は、ベース部材３１の球状の突出部３１ｂに嵌合する嵌合孔３２ａと、スライド部材４に係合する係合片３２ｂと、レール８１のレール部材８１ａに嵌合されて摺動する左右の摺動片３２ｃ、３２ｃと、を備えている。トリガ部材３２の嵌合孔３２ａは、ベース部材３１の球状部分３１ｃに外接して嵌合するようにされている。さらに、トリガ部材３２の摺動片３２ｃ、３２ｃは、レール部材８１ａ、８１ａ内を摺動するようにされている。この他、トリガ部材３２は、誤動作復帰用の突出片３２ｄを備えていることが好ましい。
【００２０】
（スライド部材の構成）
スライド部材４は、後述する付勢手段５の第１部材５１（第１のラックギヤ７１と一体になっている）の一端に回転軸４１を介して揺動（回動）自在に支持されており、トリガ３に係合する係合切欠４２と、回転軸４１について係合切欠４２の反対側に配置される摺動軸４３とを備えている。回転軸４１は、スライド部材４の側方から突出しており、ケース８０の摺動溝８０ａ内を摺動する。
【００２１】
そして、摺動軸４３は、スライド部材４の揺動によって、ケース８０の摺動溝８０ａ又は固定溝８０ｂのいずれかに配置されるようになっている。すなわち、スライド部材４がトリガ３と係合して揺動されると、固定溝８０ｂを脱して摺動溝８０ａに移動する。他方、スライド部材４がトリガ３と係合していなければ、固定溝８０ｂに留まるようになっている。
【００２２】
つまり、スライド部材４がトリガ３と係合することにより、付勢手段５及びダンパー６がロック解除されて機能するようになり、スライド部材４がトリガ３と係合していないと、付勢手段５及びダンパー６がロックされて機能しないようになる。
【００２３】
（付勢手段の構成）
付勢手段５は、スライド部材４に対して戸板１１を付勢する方向の前方側（図３では右側）に縮められた状態で設置されたバネ５４、５５と、このバネ５４、５５を案内するためのガイドである入れ子状（テレスコープ状）に構成された筒状の第１部材５１、第２部材５２、及び第３部材５３と、によって構成されている。この第１のバネ５４は、第１部材５１と第２部材５２の間で作用し、第２のバネ５５は、第２部材５２と第３部材５３の間で作用する。なお、バネは単体であってもよいし、ガイドも入れ子状になっていなくてもよい。
【００２４】
そして、最も外側の第１部材５１の上面には、戸板１１の開閉方向に沿って第１のラックギヤ７１が形成されている。さらに、第１部材５１の一端には前述したスライド部材４が回転軸４１を介して揺動自在に支持されており、他端にはケース８０の摺動溝８０ｃ内を摺動する摺動軸５１ａが支持されている。また、第２部材５２の一端の側面には突起５２ａが形成されており、ケース８０の摺動溝８０ｄ内を摺動するようになっている。
【００２５】
（ダンパーの構成）
ダンパー６は、主にシリンダ６１とロッド６２によって構成される、オイルダンパー又はエアダンパーであり、ケース８０の上部に篏合して固定されている。そして、本実施例のダンパー６には、ロッド６２の先端に保持部材６３が取り付けられている。保持部材６３には、回転軸６４を介してピニオンギヤ６５が回転自在に支持されている。さらに、この回転軸６４は、保持部材６３の側方から突出しており、第１のラックギヤ７１と一体の第１部材５１の摺動軸５１ａが摺動するのと同一の摺動溝８０ｃ内を摺動するようになっている。
【００２６】
第１のラックギヤ７１は、上述したように、付勢手段５の第１部材５１の上面に形成されている。したがって、第１のラックギヤ７１は、スライド部材４とともに戸板１１と相対的に移動するようになっている。また、第２のラックギヤ７２は、第１のラックギヤ７１に対向して戸板１１側に固定されている。換言すると、第２のラックギヤ７２は、戸板１１に固定されるケース８０の頂部の下向き内面に形成されている。
【００２７】
そして、上向きの第１のラックギヤ７１と下向きの第２のラックギヤ７２との間に、ダンパー６のロッド６２先端に取り付けられたピニオンギヤ６５が配置され、コロの原理でラックギヤ７１、７２間を転動するようになっている。換言すると、第２のラックギヤ７２が付勢手段５によって第１方向（例えば、閉方向）へ移動すると、ピニオンギヤ６５が回転することで第１のラックギヤ７１が第２方向（第１方向とは逆の方向、例えば、開方向）へ移動することになる。その際、ピニオンギヤ６５は、第１のラックギヤ７１に相対的に第２方向へ移動するとともに、第２のラックギヤ７２に相対的に第１方向へ移動することとなる。
【００２８】
（ケースの構成）
ケース８０は、合成樹脂などによって、下部が開いたコ字状に形成されるものであり、側面には、開閉方向に沿って３つの摺動溝８０ａ、８０ｃ、８０ｄと、１つの固定溝８０ｂと、が形成されている。このうち最上部の摺動溝８０ｃは、ピニオンギヤ６５（の回転軸６４）及び第１部材５１の摺動軸５１ａを開閉方向に案内するものである。また、固定溝８０ｂとつながっている摺動溝８０ａは、スライド部材４（の摺動軸４３）及び第１のラックギヤ７１（と一体の第１部材５１の摺動軸５１ａ）を開閉方向に案内するものである。さらに、最下部の摺動溝８０ｄは、付勢手段５（の第２部材５２の突起５２ａ）を開閉方向に案内するものである。
【００２９】
（レールの構成）
レール８１は、全体として下部が開いたコ字状に形成されるものであり、内面下部の左右に内向きに開いたコ字状のレール部材８１ａ、８１ａが形成されている。そして、この左右のレール部材８１ａ、８１ａの上に、ケース８０が篏合される。さらに、左右のレール部材８１ａ、８１ａには、トリガ３の左右の摺動片３２ｃ、３２ｃがそれぞれ篏合しており、トリガ３がレール部材８１ａ、８１ａ内を摺動できるようになっている。すなわち、戸板１１の下端には、戸板１１の移動方向に沿って延びるレール部材８１ａ、８１ａが設置されており、トリガ３のトリガ部材３２の摺動片３２ｃ、３２ｃがレール部材８１ａ、８１ａ内を摺動するようにされている。
【００３０】
（作用）
次に、図４〜図６、及び、図７〜図８を用いて、本実施例の引き戸の制動装置２の作用について説明する。まず、図７、図８を用いて、スライド部材４の搖動（回動、回転）作用について説明する。
【００３１】
前述したように、スライド部材４は、回転軸４１を中心として搖動するようになっている。戸板１１を閉じる際には、スライド部材４の摺動軸４３がケース８０の固定溝８０ｂ内に位置するため、スライド部材４は戸板１１とともに移動する。そして、スライド部材４の係合切欠４２がトリガ３の係合片３２ｂと衝突すると（図７の状態、図１（ｂ）の制動開始時に対応）、係合片３２ｂから反力を受けたスライド部材４が回転軸４１を中心として右回りに回転して摺動軸４３が固定溝８０ｂ内から脱出して摺動溝８０ａ内に移動する（図８の状態）。
【００３２】
次に、図４〜図６を用いて、本実施例の引き戸の制動装置２の作用について説明する。
【００３３】
まず操作者が、戸板１１を手で閉めようとする。後述する制動開始状態までは、開状態が維持される。図４に示したように、戸板１１が開状態の場合、スライド部材４はトリガ３と係合しておらず、スライド部材４の摺動軸４３は固定溝８０ｂ内にある（図７も参照）。したがって、付勢手段５のバネ５４、５５は解放されずに縮んだままである。そのため、第１のラックギヤ７１、ピニオンギヤ６５及び第２のラックギヤ７２は動かず、ダンパー６も働かない。
【００３４】
そして、戸板１１がさらに移動すると制動開始時に移行する。操作者は、この状態で戸板１１から手を離してよい。図５に示したように、制動開始時には、スライド部材４がトリガ３と衝突（係合）し、スライド部材４が揺動して摺動軸４３が固定溝８０ｂから摺動溝８０ａに脱出する。そうすると、スライド部材４及び第１のラックギヤ７１と、第２のラックギヤ７２及び戸板１１と、が相対的に移動可能となる。したがって、付勢手段５のバネ５４、５５が解放されて伸びようとする。すなわち、第１のラックギヤ７１は（絶対座標系で）位置を変えないまま、付勢手段５がケース８０とともに戸板１１を閉方向に押す。そのため、戸板１１と一体の第２のラックギヤ７２が、第１のラックギヤ７１に相対的に閉方向に移動する。これに伴って、２つのラックギヤ７１、７２に挟まれたピニオンギヤ６５が回転しつつ、（絶対座標系で）開方向に移動してダンパー６が働くことになる。
【００３５】
この際、ピニオンギヤ６５の開方向への移動距離は、第１のラックギヤ７１と第２のラックギヤ７２の相対的な移動距離の１／２となる。逆に言うと、ダンパー６のストロークを一定とすれば、２つのラックギヤ７１、７２の相対的な移動距離は、ストロークの２倍となる。
【００３６】
その後、スライド部材４が末端まで移動すると、戸板１１の移動が終了して閉状態となる（図６参照）。操作者が、戸板１１を手で開ける場合には、付勢手段５による付勢力に抗して手で戸板１１を移動させて、制動開始時と同じ位置になると、スライド部材４の摺動軸４３が摺動溝８０ａから固定溝８０ｂに移動（脱落）する。そうすると、スライド部材４とトリガ３の係合が解除されるとともに、付勢手段５は縮められた状態となる。
【００３７】
（トリガの作用）
次に、図９〜図１１を用いて、本実施例のトリガ３の作用について説明する。なお、以下では、横方向又は縦方向のみに傾斜又は位置ずれしているものとして説明するが、これらが複合的に生じて斜め方向に傾斜又は位置ずれしている場合でも、本発明によれば以下の作用がある。
【００３８】
まず、図９（ａ）、（ｂ）を用いて、戸枠１０に対して戸板１１が傾斜しない状態について説明する。この状態が最も好ましい設置状態であり、ベース部材３１の突出部３１ｂの軸線方向とトリガ部材３２の嵌合孔３２ａの軸線方向とが一致している。すなわち、突出部３１ｂの先端の球状部分３１ｃのみが嵌合孔３２ａと接しており、突出部３１ｂの途中の軸部分は嵌合孔３２ａと接していない。このように戸枠どうしが傾斜していない場合であっても、本実施例のトリガ３であれば、トリガ部材３２がベース部材３１に相対的に上下動することで、高さ方向の設置誤差を吸収することができる。
【００３９】
次に、図１０（ａ）、（ｂ）を用いて、戸枠１０に対して戸板１１が横方向、すなわち開閉方向に直交する方向に傾斜する状態について説明する。この状態は、上枠と下枠が相対的に横方向に傾斜している場合や、横方向に位置がずれている場合に生じる可能性がある。すなわち、ベース部材３１の突出部３１ｂの軸線方向とトリガ部材３２の嵌合孔３２ａの軸線方向とが交差しているか、又は、横方向にずれている。この状態では、突出部３１ｂの先端の球状部分３１ｃが嵌合孔３２ａに内接しつつ、突出部３１ｂの途中の軸部分の左側又は右側が嵌合孔３２ａと接する状態まで、開閉方向に直交する面内で傾斜することができる。このように、トリガ３の戸板１０の開閉方向に沿った位置を保持しつつも、トリガ部材３２がベース部材３１に対して搖動するため、トリガ部材３２がレール部材８１ａ、８１ａ内を噛む（引っ掛かる）ことなくスムーズに摺動するようになる。上述したようにして、トリガ３は、横方向の傾斜・位置ずれを吸収することができる。
【００４０】
次に、図１１（ａ）、（ｂ）を用いて、戸枠１０に対して戸板１１が縦方向、すなわち開閉方向に傾斜する状態について説明する。この状態は、上枠と下枠が相対的に縦方向に傾斜している場合や、縦方向に位置がずれている場合に生じる可能性がある。すなわち、ベース部材３１の突出部３１ｂの軸線方向とトリガ部材３２の嵌合孔３２ａの軸線方向とが交差しているか、又は、縦方向にずれている。この状態では、突出部３１ｂの先端の球状部分３１ｃが嵌合孔３２ａに内接しつつ、突出部３１ｂの途中の軸部分の前側又は後側が嵌合孔３２ａと接する状態まで開閉方向に平行な面内で傾斜することができる。このように、トリガ３の戸板１０の開閉方向に沿った位置を保持しつつも、トリガ部材３２がベース部材３１に対して搖動するため、トリガ部材３２がレール部材８１ａ、８１ａ内を噛む（引っ掛かる）ことなくスムーズに摺動するようになる。上述したようにして、トリガ３は、縦方向の傾斜・位置ずれを吸収することができる。
【００４１】
（効果）
次に、本実施例の引き戸の制動装置２の奏する効果を列挙して説明する。
【００４２】
（１）上述してきたように、本実施例の引き戸の制動装置２は、戸枠１０に対する戸板１１の移動を減衰する引き戸の制動装置２であって；戸枠１０は、戸板１１に向かって突出するように所定位置に配置されるトリガ３を備え；戸板１１は、トリガ３と係脱可能に構成され、トリガ３と係合した状態で戸板１１に相対的に移動可能となり、トリガ３と係合しない状態で戸板１１に相対的に移動不可能となるスライド部材４と、第１の端部がスライド部材４に取り付けられるとともに第２の端部が戸板１１に取り付けられて、スライド部材４がトリガ３と係合した状態で戸板１１を開方向又は閉方向に付勢して移動させる付勢手段５と、付勢手段５の付勢する方向の戸板１１の移動を減衰するダンパー６と、を備え、トリガ３は、戸枠１０に固定されるベース部材３１と、ベース部材３１に嵌合するトリガ部材３２と、から構成されている。このように、トリガ３が２つの部材（３１、３２）から構成されていればトリガ３の戸板１０の開閉方向に沿った位置を保持しつつ、２つの部材（３１、３２）間で位置ずれを吸収できるため、上枠に対して下枠が傾斜していたり位置がずれていたりしても、トリガ３がスライド部材４に係合しやすくなる。
【００４３】
（２）また、戸板１１の下端には、戸板１１の移動方向に沿って延びるレール部材８１ａ、８１ａが設置され、トリガ３のトリガ部材３２は、レール部材８１ａ、８１ａ内を摺動するようにされている。このような構成によれば、スライド部材４に相対的なトリガ部材３２の位置をレール部材８１ａ、８１ａ内を摺動する位置に規定することができる。すなわち、スライド部材４のスライド方向と、レール部材８１ａ、８１ａの延びる方向とは平行に形成されているため、結果としてスライド部材４に相対的なトリガ部材３２の位置を開閉中においても適切な位置に保持し続けることができるようになっている。
【００４４】
（３）また、ベース部材３１は、先端に球状部分３１ｃが形成された突出部３１ｂを有するとともに、トリガ部材３２は、球状部分３１ｃに外接して嵌合する嵌合孔３２ａを有している。このような構成によれば、戸板１０に固定されたレール部材８１ａ、８１ａに規制されたトリガ部材３２がベース部材３１に対して搖動することができるため、トリガ部材３２が噛む（引っ掛かる）ことなくスムーズに摺動するようになる。さらに、ベース部材３１の球状部分３１ｃは、トリガ部材３２の嵌合孔３２ａと常に接触しているため、トリガ部材３２のガタつきによって生じる騒音を抑制できる。
【００４５】
（４）さらに、本実施例の引き戸の制動装置２は、図２〜図３、図４〜図６に示すように、戸枠１０側の構成として、戸板１１に向かって突出するように所定位置に配置されるトリガ３を備えており；戸板１１側の構成として、トリガ３と係脱可能に構成され、トリガ３と係合した状態で戸板１１に相対的に移動可能となり、トリガ３と係合しない状態で戸板１１に相対的に移動不可能となるスライド部材４と、第１の端部がスライド部材４に取り付けられるとともに第２の端部が戸板１１に取り付けられて、スライド部材４がトリガ３と係合した状態で戸板１１を開方向又は閉方向に付勢して移動させる付勢手段５と、付勢手段５の付勢する方向の戸板１１の移動を減衰するダンパー６と、スライド部材４とともに戸板１１に相対的に移動する第１のラックギヤ７１と、第１のラックギヤ７１に対向して戸板１１に固定される第２のラックギヤ７２と、ダンパー６の端部に回転自在に支承されて、第１のラックギヤ７１と第２のラックギヤ７２の間で噛み合って回転するピニオンギヤ６５と、を備えている。このため、戸枠１０に対するピニオンギヤ６５の移動距離が引き戸全体の制動装置の制動距離となるため、ダンパー６のストロークよりも制動距離を長くすることができる。
【００４６】
例えば、ピニオンギヤ６５が１回転すると、上側の第２のラックギヤ７２は下側の第１のラックギヤ７１に対して、ピニオンギヤ６５の２回転分だけ移動する。すなわち、第２のラックギヤ７２の移動距離（＝制動距離）は、ピニオンギヤ６５の移動距離の２倍となる。換言すると、制動距離は、ダンパー６のストロークの２倍となるのである。
【００４７】
（５）また、付勢手段５は、スライド部材４に対して戸板１１を付勢する方向の前方側に縮められた状態で設置されたバネ５４、５５を含むことが好ましい。このように構成すれば、引きバネを用いる場合と比べて、付勢手段５の全長を短くすることができる。さらに、スライド部材４を固定溝８０ｂに押し込む方向に付勢力（弾性力）が作用するため、誤ってスライド部材４が固定溝８０ｂから脱出することを防止できる。
【００４８】
（６）さらに、戸板１１は、戸板１１の上縁又は下縁に沿って戸板が移動する方向に延びるレール８１を備え；トリガ３は、球状に形成された突出部３１ｂを有して戸枠１０に固定されるベース部材３１と、ベース部材３１の突出部３１ｂに嵌合する嵌合孔３２ａと、スライド部材４に係合する係合片３２ｂと、レール８１に嵌合されて摺動する摺動片３２ｃと、を有するトリガ部材３２と、を備えることが好ましい。このようにベース部材３１とトリガ部材３２とが自在に角度を変えることができれば、引き戸の制動装置２を設置する際の、上下の位置ずれや、左右の位置ずれに追従させることができる。すなわち、戸板１１と床（戸枠１０）、又は、戸板１１と戸板１１の位置ずれを許容できるようになる。
【００４９】
（７）また、戸板１１は、戸板１１の開方向又は閉方向に沿って延びる摺動溝８０ａと、摺動溝８０ａから外れた固定溝８０ｂと、をさらに備え；スライド部材４は、第１のラックギヤ７１に対して回転軸４１を介して回転自在に支承されて、トリガ３に係合する係合切欠４２と、回転軸４１について係合切欠４２の反対側に配置される摺動軸４３と、を有し；トリガ３が係合切欠４２に係合しなければ、摺動軸４３が固定溝８０ｂに留まるとともに、トリガ３が係合切欠４２に係合すれば、スライド部材４が回転して摺動軸４３が固定溝８０ｂから脱出して摺動溝８０ａに移動して戸板１１の開方向又は閉方向に沿って摺動するようになっていることが好ましい。
【００５０】
（８）さらに、バネ５４、５５を戸板１１の開方向又は閉方向に沿って案内するガイドとして、複数のガイド部品５１、５２、５２によって入れ子状に構成されたガイドを備えることが好ましい。このように構成することで、バネ５４、５５が縮められた状態における横変形を防止するとともに、バネ５４、５５がまっすぐに伸びるようになることで弾性力を有効に作用させることができる。この場合、バネ５４、５５も複数段に構成することで、弾性力をダンパーストロークの間で均等に作用させることができる。
【００５１】
以上、図面を参照して、本発明の実施例を詳述してきたが、具体的な構成は、この実施例に限らず、本発明の要旨を逸脱しない程度の設計的変更は、本発明に含まれる。
【００５２】
例えば、実施例では、戸板１１を閉める際のストロークエンド付近に機能させる引き戸の制動装置２を例に挙げて説明したが、これに限定されるものではなく、戸板１１を開ける際のストロークエンド付近に機能させる引き戸の制動装置として構成することももちろんできる。
【符号の説明】
【００５３】
１          引き戸
１０        戸枠
１１        戸板
２          引き戸の制動装置
３          トリガ
３１        ベース部材
３１ａ      ベース部
３１ｂ      突出部
３１ｃ      球状部分
３２        トリガ部材
３２ａ      篏合孔
３２ｂ      係合片
３２ｃ      摺動片
３２ｄ      突出片
４          スライド部材
４１        回転軸
４２        係合切欠
４３        摺動軸
５          付勢手段
５１        第１部材
５２        第２部材
５３        第３部材
５４        第１バネ
５５        第２バネ
６          ダンパー
６５        ピニオンギヤ
７１        第１のラックギヤ
７２        第２のラックギヤ
８０        ケース
８０ａ      摺動溝
８０ｂ      固定溝
８１        レール
９０        開口部
【図１】
2019073902.tif 000003
【図２】
2019073902.tif 000004
【図３】
2019073902.tif 000005
【図４】
2019073902.tif 000006
【図５】
2019073902.tif 000007
【図６】
2019073902.tif 000008
【図７】
2019073902.tif 000009
【図８】
2019073902.tif 000010
【図９】
2019073902.tif 000011
【図１０】
2019073902.tif 000012
【図１１】
2019073902.tif 000013